(57)【特許請求の範囲】
【請求項１】
基地局は、送信する必要がある１つの端末グループの情報を決定するステップと、
基地局は、グループ共通の物理ダウンリンク制御チャネル（ｇｒｏｕｐ ｃｏｍｍｏｎ ＰＤＣＣＨ）を介して、前記端末グループの情報を送信するステップとを備え、
基地局が前記ｇｒｏｕｐ ｃｏｍｍｏｎ ＰＤＣＣＨを介して前記端末グループの情報を送信する場合、高位層シグナリングを通じて少なくとも１つのダウンリンク制御情報（ＤＣＩ）フォーマットの関連情報を送信し、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含むことを特徴とする情報の伝送方法。
【請求項２】
少なくとも１つのダウンリンク制御情報（ＤＣＩ）フォーマットを使用して、ｇｒｏｕｐ ｃｏｍｍｏｎ ＰＤＣＣＨを介して前記端末グループのタイプの情報を送信することを特徴とする請求項１に記載の情報の伝送方法。
【請求項３】
前記端末グループの情報は、少なくともスロットフォーマット指示を含み、第１のＤＣＩフォーマットを使用して前記スロットフォーマット指示を送信し、前記第１のＤＣＩフォーマット以外の少なくとも１つの他のＤＣＩフォーマットを使用して前記スロットフォーマット指示以外の情報を送信することを特徴とする請求項２に記載の情報の伝送方法。
【請求項４】
異なるＤＣＩフォーマットを使用して送信した情報の送信周期は異なることを特徴とする請求項２に記載の情報の伝送方法。
【請求項５】
端末は、グループ共通の物理ダウンリンク制御チャネル（ｇｒｏｕｐ ｃｏｍｍｏｎ ＰＤＣＣＨ）を検出するステップと、
端末は、前記ｇｒｏｕｐ ｃｏｍｍｏｎ ＰＤＣＣＨから１つの端末グループの情報を取得するステップとを備え、
端末が前記ｇｒｏｕｐ ｃｏｍｍｏｎ ＰＤＣＣＨを検出する場合、
高位層シグナリングを通じて前記少なくとも１つのＤＣＩフォーマットの関連情報を受信し、前記少なくとも１つのＤＣＩフォーマットの関連情報に従って、前記ｇｒｏｕｐ ｃｏｍｍｏｎ ＰＤＣＣＨを検出し、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含むことを特徴とする情報の取得方法。
【請求項６】
前記端末グループの情報は、少なくとも１つのダウンリンク制御情報（ＤＣＩ）フォーマットを使用して、前記ＰＤＣＣＨを介して送信されることを特徴とする請求項５に記載の情報の取得方法。
【請求項７】
送信する必要がある１つの端末グループの情報を決定するための決定ユニットと、
グループ共通の物理ダウンリンク制御チャネル（ｇｒｏｕｐ ｃｏｍｍｏｎ ＰＤＣＣＨ）を介して、前記端末グループの情報を送信するための送信ユニットとを備え、
前記送信ユニットは、
高位層シグナリングを通じて少なくとも１つのダウンリンク制御情報（ＤＣＩ）フォーマットの関連情報を送信し、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含むことを特徴とする基地局側の情報の伝送装置。
【請求項８】
前記送信ユニットは、少なくとも１つのダウンリンク制御情報（ＤＣＩ）フォーマットを使用して、ｇｒｏｕｐ ｃｏｍｍｏｎ ＰＤＣＣＨを介して前記端末グループのタイプの情報を送信することを特徴とする請求項７に記載の基地局側の情報の伝送装置。
【請求項９】
前記端末グループの情報は、少なくともスロットフォーマット指示を含み、第１のＤＣＩフォーマットを使用して前記スロットフォーマット指示を送信し、前記第１のＤＣＩフォーマット以外の少なくとも１つの他のＤＣＩフォーマットを使用して前記スロットフォーマット指示以外の情報を送信することを特徴とする請求項８に記載の基地局側の情報の伝送装置。
【請求項１０】
異なるＤＣＩフォーマットを使用して送信した情報の送信周期は異なることを特徴とする請求項８に記載の基地局側の情報の伝送装置。
【請求項１１】
グループ共通の物理ダウンリンク制御チャネル（ｇｒｏｕｐ ｃｏｍｍｏｎ ＰＤＣＣＨ）を検出するための検出ユニットと、
前記ｇｒｏｕｐ ｃｏｍｍｏｎ ＰＤＣＣＨから１つの端末グループの情報を取得するための取得ユニットとを備え、
前記検出ユニットは、高位層シグナリングを通じて前記少なくとも１つのＤＣＩフォーマットの関連情報を受信し、前記少なくとも１つのＤＣＩフォーマットの関連情報に従って、前記ｇｒｏｕｐ ｃｏｍｍｏｎ ＰＤＣＣＨを検出し、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含むことを特徴とする端末側の情報の取得装置。
【発明の詳細な説明】
【技術分野】
【０００１】
関連出願の相互参照
本出願は、２０１７年５月４日に中国特許局に提出し、出願番号が２０１７１０３０９７１７.８であり、発明名称が「情報の伝送方法および装置」、および２０１８年３月２８日に中国特許局に提出し、出願番号が２０１８１０２８２２２５．９であり、発明名称が「情報の伝送方法および装置」、との中国特許出願を基礎とする優先権を主張し、その開示の総てをここに取り込む。
【背景技術】
【０００２】
本発明は、無線通信技術分野に関し、特に情報の伝送方法および装置に関する。
【０００３】
次世代の移動通信技術について、簡単な紹介は以下の通りである。
【０００４】
モバイルインターネットは、従来の移動通信サービスモデルを覆し、ユーザーに前例のない使用体験を提供し、これは人々の仕事と生活のあらゆる側面に大きな影響を与える。モバイルインターネットは、人間の社会情報対話方法のさらなるアップグレードを促進し、拡張現実、仮想現実、超高解像度（３Ｄ）ビデオ、モバイルクラウドなどのより豊かなサービス体験をユーザーに提供する。モバイルインターネットのさらなる発展により、将来のモバイルトラフィックが約１０００倍に増加し、移動通信技術と産業の新たな変化が促進される。モノのインターネット（ＩｏＴ）は、移動通信のサービスの範囲を、人から人への通信から、人間と機械、機械と機械のインテリジェントな相互接続に拡大し、移動通信技術をより広範な産業と分野に浸透させる。将来、モバイル医療、カーネットワーキング、スマートホーム、産業用制御、環境監視などがアプリケーションの爆発的な成長を促進し、数千億のデバイスがネットワークにアクセスして真の「すべてのインターネット」を実現する。同時に、大規模なデバイス接続と多様化されたモノのインターネットサービスも、移動通信に新たな技術的課題をもたらす。 
【０００５】
新しいサービスへの要求が出現し、より要求が厳しくなるにつれて、より高いピークレート、より良いユーザー体験レート、より小さな遅延、より高い信頼性、より高いスペクトル効率およびより高いエネルギー効率などのより高い性能要求が将来の移動通信システムに課される。さらに多くのユーザーアクセスをサポートし、さまざまな種類のサービスを使用する必要がある。
【０００６】
ＬＴＥシステムの物理ダウンリンク制御チャネル（ｐｈｙｓｉｃａｌ ｄｏｗｎｌｉｎｋ ｃｏｎｔｒｏｌ ｃｈａｎｎｅｌ，ＰＤＣＣＨ）は、スケジューリング情報および他の制御情報を運ぶために使用される。各ダウンリンクサブフレームの制御領域内に複数のＰＤＣＣＨがあり得る。ユーザー機器（Ｕｓｅｒ Ｅｑｕｉｐｍｅｎｔ，ＵＥ）は、監視対象のダウンリンク制御情報（Ｄｏｗｎｌｉｎｋ Ｃｏｎｔｒｏｌ Ｉｎｆｏｒｍａｔｉｏｎ，ＤＣＩ）のフォーマット（ｆｏｒｍａｔ）に従って、サーチスペース内の各ＰＤＣＣＨをデコードしようとする。
【０００７】
要約すると、既存のＬＴＥシステムでは、ＵＥは、所望の情報に従って自身のＰＤＣＣＨをブラインド検出する。将来の移動通信システムでは、スケジューリングを導入するか、端末グループの関連情報を通知する必要があるが、現在、端末グループの情報を送信する方法に関する解決策はまだ存在しない。
【発明の概要】
【発明が解決しようとする課題】
【０００８】
本発明の実施形態は、端末グループの情報の送信を実現するための情報送信方法および装置を提供する。
【課題を解決するための手段】
【０００９】
ネットワーク側、たとえば、基地局側において、本発明の実施形態に係る情報の伝送方法は、
送信する必要がある１つの端末グループの情報を決定するステップと、
グループ共通の物理ダウンリンク制御チャネル（ｇｒｏｕｐ ｃｏｍｍｏｎ ＰＤＣＣＨ）を介して、前記端末グループの情報を送信するステップと、を備える。
【００１０】
本発明の実施形態では、送信末グループの情報の送信を実現するため、ｇｒｏｕｐ ｃｏｍｍｏｎ ＰＤＣＣＨを介して１つの端末グループの情報を送信する。
【００１１】
オプションとして、少なくとも１つのダウンリンク制御情報（ＤＣＩ）フォーマットを使用して、ｇｒｏｕｐ ｃｏｍｍｏｎ ＰＤＣＣＨを介して前記端末グループのタイプの情報を送信する。
【００１２】
本発明の実施形態では、少なくとも１つのダウンリンク制御情報（ＤＣＩ）フォーマットを使用して、ｇｒｏｕｐ ｃｏｍｍｏｎ ＰＤＣＣＨを介して１つの端末グループのタイプの情報を送信することにより、１つの端末グループのタイプの情報の送信がより柔軟になり、異なる情報の伝送を満たすことができる。
【００１３】
オプションとして、前記端末グループの情報は、少なくともスロットフォーマット指示を含み、第１のＤＣＩフォーマットを使用して前記スロットフォーマット指示を送信し、第１のＤＣＩフォーマットの以外の少なくとも１つの他のＤＣＩフォーマットを使用して前記スロットフォーマット指示以外の情報を送信する。
【００１４】
オプションとして、異なるＤＣＩフォーマットを使用して送信した情報の送信周期は異なる。
【００１５】
オプションとして、前記ｇｒｏｕｐ ｃｏｍｍｏｎ ＰＤＣＣＨを介して前記端末グループの情報を送信する場合、
高位層シグナリングを通じて少なくとも１つのダウンリンク制御情報（ＤＣＩ）フォーマットの関連情報を送信し、
または、ｇｒｏｕｐ ｃｏｍｍｏｎ ＰＤＣＣＨにおいて、少なくとも１つのＤＣＩフォーマットを使用して前記端末グループのタイプの情報を送信する。
【００１６】
オプションとして、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含む。
【００１７】
これに対応して、端末側では、本発明の実施形態に係る情報の伝送方法は、
グループ共通の物理ダウンリンク制御チャネル（ｇｒｏｕｐ ｃｏｍｍｏｎ ＰＤＣＣＨ）を検出するステップと、
前記ｇｒｏｕｐ ｃｏｍｍｏｎ ＰＤＣＣＨから１つの端末グループの情報を取得するステップと、を備える。
【００１８】
オプションとして、前記端末グループの情報は、少なくとも１つのダウンリンク制御情報（ＤＣＩ）フォーマットを使用して、前記ＰＤＣＣＨを介して送信される。
【００１９】
オプションとして、前記ｇｒｏｕｐ ｃｏｍｍｏｎ ＰＤＣＣＨを検出する場合、
高位層シグナリングを通じて前記少なくとも１つのＤＣＩフォーマットの関連情報を受信し、前記少なくとも１つのＤＣＩフォーマットの関連情報に従って、前記ｇｒｏｕｐ ｃｏｍｍｏｎ ＰＤＣＣＨを検出し、
または、各ｇｒｏｕｐ ｃｏｍｍｏｎ ＰＤＣＣＨリソース集合において、前記少なくとも１つのＤＣＩフォーマットに従って、前記ｇｒｏｕｐ ｃｏｍｍｏｎ ＰＤＣＣＨを検出する。
【００２０】
オプションとして、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含む。
【００２１】
上記ネットワーク側方法と対応して、本発明の実施形態に係る情報の伝送装置は、
送信する必要がある１つの端末グループの情報を決定するための決定ユニットと、
グループ共通の物理ダウンリンク制御チャネル（ｇｒｏｕｐ ｃｏｍｍｏｎ ＰＤＣＣＨ）を介して、前記端末グループの情報を送信するための送信ユニットと、を備える。
【００２２】
オプションとして、前記送信ユニットは、少なくとも１つのダウンリンク制御情報（ＤＣＩ）フォーマットを使用して、ｇｒｏｕｐ ｃｏｍｍｏｎ ＰＤＣＣＨを介して前記端末グループのタイプの情報を送信する。
【００２３】
オプションとして、前記端末グループの情報は、少なくともスロットフォーマット指示を含み、第１のＤＣＩフォーマットを使用して前記スロットフォーマット指示を送信し、第１のＤＣＩフォーマットの以外の少なくとも１つのたのＤＣＩフォーマットを使用して前記スロットフォーマット指示以外の情報を送信する。
【００２４】
オプションとして、異なるＤＣＩフォーマットを使用して送信した情報の送信周期は異なる。
【００２５】
オプションとして、前記送信ユニットは、
高位層シグナリングを通じて少なくとも１つのダウンリンク制御情報（ＤＣＩ）フォーマットの関連情報を送信し、
または、ｇｒｏｕｐ ｃｏｍｍｏｎ ＰＤＣＣＨにおいて、少なくとも１つのＤＣＩフォーマットを使用して前記端末グループのタイプの情報を送信する。
【００２６】
オプションとして、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含む。
【００２７】
上記端末側方法と対応して、本発明の実施形態に係る情報の伝送装置は、
グループ共通の物理ダウンリンク制御チャネル（ｇｒｏｕｐ ｃｏｍｍｏｎ ＰＤＣＣＨ）を検出するための検出ユニットと、
前記ｇｒｏｕｐ ｃｏｍｍｏｎ ＰＤＣＣＨから１つの端末グループの情報を取得するための取得ユニットと、を備える。
【００２８】
オプションとして、前記端末グループの情報は、少なくとも１つのダウンリンク制御情報（ＤＣＩ）フォーマットを使用して、前記ＰＤＣＣＨを介して送信される。
【００２９】
オプションとして、前記検出ユニットは、
高位層シグナリングを通じて前記少なくとも１つのＤＣＩフォーマットの関連情報を受信し、前記少なくとも１つのＤＣＩフォーマットの関連情報に従って、前記ｇｒｏｕｐ ｃｏｍｍｏｎ ＰＤＣＣＨを検出し、ｐ ｃｏｍｍｏｎ ＰＤＣＣＨリソース集合において、前記少なくとも１つのＤＣＩフォーマットに従って、前記ｇｒｏｕｐ ｃｏｍｍｏｎ ＰＤＣＣＨを検出する。
【００３０】
オプションとして、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含む。
【００３１】
オプションとして、上記ネットワーク側方法と対応して、本発明の実施形態に係る第２の情報の伝送装置は、
プログラム命令を保存するために構成されるメモリと、
メモリに保存されたプログラム命令を呼び出して、取得したプログラムに基づいて操作を実行するために構成されるプロセッサと、を備え、
前記プロセッサは、送信する必要がある１つの端末グループの情報を決定し、
グループ共通の物理ダウンリンク制御チャネル（ｇｒｏｕｐ ｃｏｍｍｏｎ ＰＤＣＣＨ）を介して、前記端末グループの情報を送信するように、送受信機を制御する。
【００３２】
オプションとして、前記プロセッサは、少なくとも１つのダウンリンク制御情報（ＤＣＩ）フォーマットを使用して、ｇｒｏｕｐ ｃｏｍｍｏｎ ＰＤＣＣＨを介して前記端末グループのタイプの情報を送信するように、前記送受信機を制御する。
【００３３】
オプションとして、前記端末グループの情報は、少なくともスロットフォーマット指示を含み、第１のＤＣＩフォーマットを使用して前記スロットフォーマット指示を送信し、第１のＤＣＩフォーマットの以外の少なくとも１つの他のＤＣＩフォーマットを使用して前記スロットフォーマット指示以外の情報を送信する。
【００３４】
オプションとして、異なるＤＣＩフォーマットを使用して送信した情報の送信周期は異なる。
【００３５】
オプションとして、前記プロセッサは、前記送受信機を制御して、高位層シグナリングを通じて少なくとも１つのダウンリンク制御情報（ＤＣＩ）フォーマットの関連情報を送信し、
または、前記プロセッサは、前記送受信機を制御して、ｇｒｏｕｐ ｃｏｍｍｏｎ ＰＤＣＣＨにおいて、少なくとも１つのＤＣＩフォーマットを使用して前記端末グループのタイプの情報を送信する。
【００３６】
オプションとして、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含む。
【００３７】
上記端末側方法と対応して、本発明の実施形態に係る第２の情報の伝送装置は、
プログラム命令を保存するために構成されるメモリと、
メモリに保存されたプログラム命令を呼び出して、取得したプログラムに基づいて操作を実行するために構成されるプロセッサと、を備え、
前記プロセッサは、送受信機を通じて、グループ共通の物理ダウンリンク制御チャネル（ｇｒｏｕｐ ｃｏｍｍｏｎ ＰＤＣＣＨ）を検出し、
前記ｇｒｏｕｐ ｃｏｍｍｏｎ ＰＤＣＣＨから１つの端末グループの情報を取得する。
【００３８】
オプションとして、前記端末グループの情報は、少なくとも１つのダウンリンク制御情報（ＤＣＩ）フォーマットを使用して、前記ＰＤＣＣＨを介して送信される。
【００３９】
オプションとして、前記プロセッサは、前記送受信機を制御して、高位層シグナリングを通じて前記少なくとも１つのＤＣＩフォーマットの関連情報を受信し、前記少なくとも１つのＤＣＩフォーマットの関連情報に従って、前記ｇｒｏｕｐ ｃｏｍｍｏｎ ＰＤＣＣＨを検出し、
または、前記プロセッサは、前記送受信機を制御して、各ｇｒｏｕｐ ｃｏｍｍｏｎ ＰＤＣＣＨリソース集合において、前記少なくとも１つのＤＣＩフォーマットに従って、前記ｇｒｏｕｐ ｃｏｍｍｏｎ ＰＤＣＣＨを検出する。
【００４０】
オプションとして、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含む。
【００４１】
本発明の実施形態は、コンピュータ実行可能命令を格納し、コンピュータ実行可能命令を使用して、コンピュータが上記のいずれか一項に記載の方法を実行できるようにするために使用されるコンピュータ記憶媒体を提供する。
【図面の簡単な説明】
【００４２】
本発明に係る実施例や従来の技術方案をより明確に説明するために、以下に実施例を説明するために必要な図面について簡単に紹介する。無論、以下の説明における図面は本発明に係る実施例の一部であり、当業者は、創造性作業を行わないことを前提として、これらの図面に基づいて他の図面を得ることができる。
【図１】本発明の実施形態に係る基地局側の情報の伝送方法のフロー図である。
【図２】本発明の実施形態に係る端末側の情報の伝送方法のフロー図である。
【図３】本発明の実施形態に係る基地局と端末との間で実行される情報の伝送方法のフロー図である。
【図４】本発明の実施形態に係る基地局と端末との間の第２の情報の伝送方法のフロー図である。
【図５】本発明の実施形態に係る基地局と端末との間の第３の情報の伝送方法のフロー図である。
【図６】本発明の実施形態に係る基地局側の情報の伝送装置の構造概略図である。
【図７】本発明の実施形態に係る端末側の情報の伝送装置の構造概略図である。
【図８】本発明の実施形態に係る基地局側の別の情報の伝送装置の構造概略図である。
【図９】本発明の実施形態に係る端末側の別の情報の伝送装置の構造概略図である。
【発明を実施するための形態】
【００４３】
端末グループの情報の送信を実現するため、本発明の実施形態は、情報の伝送方法および装置を提供する。
【００４４】
移動技術の発展に伴い、将来の移動通信システムは、より低いネットワーク遅延を提供し、より多様なサービスをサポートする必要がある。ダウンリンク制御チャネルは、１つの端末、基地局内のすべての端末、または基地局内の端末のグループに通知またはスケジュールすることができる。ダウンリンク制御チャネルのタイプはさまざまであり、送信モードはより柔軟になる。データを送信するように１つの端末をスケジュールするためのダウンリンク制御チャネルは、端末からデータを送信する必要があるときに基地局によって送信でき、基地局内のすべての端末をスケジュールするための共通制御チャネルは、毎回各スロット（ｓｌｏｔ）内の共通サーチスペースで送信できる。
【００４５】
本発明の実施形態では、端末のグループの情報は、グループ（ｇｒｏｕｐ）共通（ｃｏｍｍｏｎ）ＰＤＣＣＨによって運ばれる。具体的に、当該端末グループの情報に含まれる情報について、本発明の実施形態に限定されない。ｇｒｏｕｐ ｃｏｍｍｏｎ ＰＤＣＣＨによって運ばれる情報を同時に送信する必要がないことを考えると、一部の情報は送信のためにより高い送信周波数を必要とし、他の情報はより低い送信周波数を必要とする。したがって、ｇｒｏｕｐ ｃｏｍｍｏｎ ＰＤＣＣＨにより運ばれる情報は、情報タイプに応じて異なるダウンリンク制御情報（Ｄｏｗｎｌｉｎｋ Ｃｏｎｔｒｏｌ Ｉｎｆｏｒｍａｔｉｏｎ，ＤＣＩ）フォーマット（ｆｏｒｍａｔ）で送信できる。
【００４６】
本発明の実施形態におけるグｇｒｏｕｐ ｃｏｍｍｏｎ ＰＤＣＣＨは、１つの端末のグループの情報を運び、１つの端末のグループは少なくとも１つの端末を含む。
【００４７】
本発明の実施形態に係る端末は、ＵＥとも呼ばれる。ＵＥは固定または移動の場合がある。ＵＥは、移動局、加入者ユニット、局などと呼ばれることもある。ＵＥは、携帯電話、携帯情報端末（ＰＤＡ）、ワイヤレスモデム、ワイヤレス通信デバイス、ハンドヘルドデバイス、ラップトップコンピューター、コードレス電話、ワイヤレスローカルループ（ＷＬＬ）ステーション、タブレットコンピューター、などであることができる。ＵＥは、マクロｅＮＢ、ピコｅＮＢ、フェムトｅＮＢ、および中継局などのネットワーク側デバイスと通信できる。
【００４８】
本発明の実施形態では、ｇｒｏｕｐ ｃｏｍｍｏｎ ＰＤＣＣＨを介して送信される必要がある端末のグループの情報、例えば、ｓｌｏｔ構造指示情報、ＰＤＣＣＨ  ｍｏｎｉｔｏｒ関連情報、送受信ポイント（ｔｒａｎｓｍｉｓｓｉｏｎ ａｎｄ ｒｅｃｅｉｖｉｎｇ ｐｏｉｎｔ，ＴＲＰ）構成情報、などは、異なるＤＣＩ ｆｏｒｍａｔを使用して送信できる。
【００４９】
ｇｒｏｕｐ ｃｏｍｍｏｎ ＰＤＣＣＨによってＵＥのグループの情報を運ぶために使用される少なくとも１つのタイプのＤＣＩ  ｆｏｒｍａｔ は、１つ以上のタイプ、例えば、ＤＣＩ  ｆｏｒｍａｔ Ｘ（または第１のＤＣＩ  ｆｏｒｍａｔ と呼ばれる）およびＤＣＩ フォーマットＹ（または第１のＤＣＩフォーマット以外の少なくとも１つの他のＤＣＩ ｆｏｒｍａｔと呼ばれる）のような２つのタイプがある。
【００５０】
オプションとして、異なるＤＣＩ ｆｏｒｍａｔを使用して異なる情報を送信することができる。
【００５１】
例えば、ＤＣＩ ｆｏｒｍａｔ Ｘを使用して送信される情報は、ｓｌｏｔの構造を示すためのスロットフォーマット指示（ｓｌｏｔ ｆｏｒｍａｔ ｉｎｄｉｃａｔｉｏｎ）を含む、ｓｌｏｔの構造は、例えば、ダウンリンク（ＤＬ）直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘ，ＯＦＤＭ）シンボルの数、アップリンク（ＵＬ）ＯＦＤＭシンボルの数、ガード期間（Ｇｕａｒｄ Ｐｅｒｉｏｄ，ＧＰ）ＯＦＤＭシンボルの数、などを示す。端末は、どのシンボルをアップリンク送信に使用でき、どのシンボルをダウンリンク送信に使用できるかを決定するために、ｓｌｏｔの構造を知る必要がある。
【００５２】
ＤＣＩ ｆｏｒｍａｔ Ｙを使用して他の情報を送信することができ、他の情報は、例えば、ダウンリンク制御チャネル検出周期、サブキャリア空間（ｓｕｂｃａｒｒｉｅｒ ｓｐａｃｅ，ＳＣＳ）情報（またはｎｕｍｅｒｏｌｏｇｙ情報と呼ばれる）、送信および受信ポイント（ｔｒａｎｓｍｉｓｓｉｏｎ ａｎｄ ｒｅｃｅｉｖｉｎｇ ｐｏｉｎｔ，ＴＲＰ）情報などである。
【００５３】
異なるＤＣＩ ｆｏｒｍａｔを使用して送信される情報は、異なる規則に従って分割することができる。例えば、ｇｒｏｕｐ ｃｏｍｍｏｎ ＰＤＣＣＨにより運ばれる情報の送信周期、重要度レベルが含まれる。具体的には、プロトコルで指定できる。例えば、ｓｌｏｔ ｆｏｒｍａｔ ｉｎｆｏｒｍａｔｉｏｎが必要なため、重要であり、重要度レベルが高く、１つのＤＣＩ ｆｏｒｍａｔを使用して情報を送信する必要がある。一部の情報は、補助送信の役割を果たすため、重要度が低いと見なすことができ、別のＤＣＩ ｆｏｒｍａｔを使用して情報を送信することができる。
【００５４】
異なるＤＣＩ ｆｏｒｍａｔを使用して同じｓｌｏｔ内のｇｒｏｕｐ ｃｏｍｍｏｎ ＰＤＣＣＨ上で情報を送信することができる。
【００５５】
異なるＤＣＩ ｆｏｒｍａｔを使用して送信する情報の送信周期は異なる。例えば、ＤＣＩ ｆｏｒｍａｔ Ｘを使用して送信される情報はＮ個のスロットごとに１回送信する必要があり、ＤＣＩ ｆｏｒｍａｔ Ｙを使用して送信される情報は２Ｎ個のスロットごとに送信する必要がある。
【００５６】
基地局側 
基地局は、ｇｒｏｕｐ ｃｏｍｍｏｎ ＰＤＣＣＨにおいて、１つの端末グループの情報を送信する。具体的には、次の２つの方式を使用して情報を送信できる。
【００５７】
方式１：基地局および端末は、異なるＤＣＩ ｆｏｒｍａｔによって運ばれる情報コンテンツを事前定義し、その後、基地局は、高位層シグナリングを通じて端末にＤＣＩ ｆｏｒｍａｔの関連情報を通知する。例えば、各ＤＣＩ ｆｏｒｍａｔに対応する情報送信周期、および/または、端末が受信する必要があるＤＣＩ ｆｏｒｍａｔタイプを示すために使用される指示情報などを通知する。端末は、これらの関連情報に従って対応するＤＣＩ ｆｏｒｍａｔを検出し、対応する情報を取得してもよい。
【００５８】
ここで、各ＤＣＩ ｆｏｒｍａｔに対応する情報送信周期は異なっていてもよい。例えば、ＤＣＩ ｆｏｒｍａｔ Ｘに対応する情報送信周期はＮ個のスロットであり、ＤＣＩ ｆｏｒｍａｔ Ｙに対応する情報送信周期は２Ｎ個のスロットであり、ここでＮは予め設定された正の整数である。
【００５９】
基地局は、高位層シグナリングを通じて端末が受信する必要があるＤＣＩ ｆｏｒｍａｔタイプを示すために使用される指示情報を端末に通知する。例えば、基地局は、ＤＣＩ ｆｏｒｍａｔ  Ｘのみを受信および検出する必要があることを端末に通知するか、または、基地局は、ＤＣＩ ｆｏｒｍａｔ  Ｙのみを受信および検出する必要があることを端末に通知する。また、基地局は、ＤＣＩ ｆｏｒｍａｔ ＸおよびＤＣＩ ｆｏｒｍａｔ Ｙを受信および検出する必要があることを端末に通知する。
【００６０】
方式２：基地局は、ｇｒｏｕｐ ｃｏｍｍｏｎ ＰＤＣＣＨにおいて、ＤＣＩ ｆｏｒｍａｔ Ｘおよび/またはＤＣＩ ｆｏｒｍａｔ Ｙを使用して１つの端末グループの情報を送信する。
【００６１】
要約すると、図１に示すように、ネットワーク側、たとえば、基地局側において、本発明の実施形態に係る情報の伝送方法は以下のステップを含む。
【００６２】
Ｓ１０１において、送信する必要がある１つの端末グループの情報を決定する。
【００６３】
Ｓ１０２において、グループ共通の物理ダウンリンク制御チャネル（ｇｒｏｕｐ ｃｏｍｍｏｎ ＰＤＣＣＨ）を介して、端末グループの情報を送信する。
【００６４】
オプションとして、少なくとも１つのダウンリンク制御情報（ＤＣＩ）フォーマットを使用して、ｇｒｏｕｐ ｃｏｍｍｏｎ ＰＤＣＣＨを介して、端末グループのタイプの情報を送信する。
【００６５】
オプションとして、端末グループの情報は、少なくともスロットフォーマット指示を含み、第１のＤＣＩフォーマットを使用してスロットフォーマット指示を送信し、第１のＤＣＩフォーマットの以外の少なくとも１つの他のＤＣＩフォーマットを使用してスロットフォーマット指示以外の情報を送信する。
【００６６】
ここで、スロットフォーマット指示以外の情報、例えば、ダウンリンク制御チャネル検出周期、サブキャリア空間情報、送信および受信ポイント情報を含む。
【００６７】
オプションとして、異なるＤＣＩフォーマットを使用して送信した情報の送信周期は異なる。
【００６８】
オプションとして、ｇｒｏｕｐ ｃｏｍｍｏｎ ＰＤＣＣＨを介して、端末グループの情報を送信する場合、高位層シグナリングを通じて少なくとも１つのダウンリンク制御情報（ＤＣＩ）フォーマットの関連情報を送信する。
【００６９】
または、ｇｒｏｕｐ ｃｏｍｍｏｎ ＰＤＣＣＨにおいて、少なくとも１つのＤＣＩフォーマットを使用して前記端末グループのタイプの情報を送信する。
【００７０】
オプションとして、少なくとも１つのＤＣＩフォーマットの関連情報は、端末グループの情報の送信に使用されるＤＣＩフォーマットに対応する情報送信周期、および/または、端末によって検出される必要があるＤＣＩフォーマットの指示情報を含む。
【００７１】
以下、ネットワーク側の情報の伝送方法に対応する端末側の情報の伝送方法を説明する。
【００７２】
方式１：基地局および端末が異なるＤＣＩ ｆｏｒｍａｔで送信する情報コンテンツの利用について合意した場合、端末は、高位層シグナリングで通知されたＤＣＩ ｆｏｒｍａｔ関連情報に従ってｇｒｏｕｐ ｃｏｍｍｏｎ ＰＤＣＣＨを受信する。
【００７３】
基地局が、高位層シグナリングを通じて端末異なるＤＣＩ ｆｏｒｍａｔの送信周期を通知すれば、例えば、ＤＣＩ ｆｏｒｍａｔ Ｘの送信周期はＮ個のスロットであり、ＤＣＩ ｆｏｒｍａｔ Ｙの送信周期は、Ｎである。端末は、Ｎ個のスロットごとにＤＣＩ ｆｏｒｍａｔ Ｘに従ってｇｒｏｕｐ ｃｏｍｍｏｎ ＰＤＣＣＨを検出および受信し、２Ｎ個のスロットごとにＤＣＩ ｆｏｒｍａｔ Ｙに従ってｇｒｏｕｐ ｃｏｍｍｏｎ ＰＤＣＣＨを検出および受信する。
【００７４】
または、基地局は、高位層シグナリングを通じて検出および受信する必要があるＤＣＩ ｆｏｒｍａｔタイプを端末に通知し、ｇｒｏｕｐ ｃｏｍｍｏｎ ＰＤＣＣＨにで送信される２つのタイプのＤＣＩ  ｆｏｒｍａｔ（ＤＣＩ ｆｏｒｍａｔ ＸおよびＤＣＩ ｆｏｒｍａｔ Ｙ）があると仮定する。
【００７５】
例えば、基地局は、高位層シグナリングを通じて検出および受信する必要があるＤＣＩ ｆｏｒｍａｔ Ｘを端末に通知すれば、端末は、ＤＣＩ ｆｏｒｍａｔ Ｘに従って各ｇｒｏｕｐ ｃｏｍｍｏｎ ＰＤＣＣＨのリソース集合においてｇｒｏｕｐ ｃｏｍｍｏｎ ＰＤＣＣＨを検出および受信する。または、基地局は、高位層シグナリングを通じて検出および受信する必要があるＤＣＩ ｆｏｒｍａｔ Ｙを端末に通知すれば、端末は、ＤＣＩ ｆｏｒｍａｔ Ｙに従って各ｇｒｏｕｐ ｃｏｍｍｏｎ ＰＤＣＣＨのリソース集合においてｇｒｏｕｐ ｃｏｍｍｏｎ ＰＤＣＣＨを検出および受信する。または、基地局は、高位層シグナリングを通じて検出および受信する必要があるＤＣＩ ｆｏｒｍａｔ ＸおよびＤＣＩ ｆｏｒｍａｔ Ｙを端末に通知すれば、端末は、ＤＣＩ ｆｏｒｍａｔ ＸおよびＤＣＩ ｆｏｒｍａｔ Ｙに従って各ｇｒｏｕｐ ｃｏｍｍｏｎ ＰＤＣＣＨのリソース集合においてｇｒｏｕｐ ｃｏｍｍｏｎ ＰＤＣＣＨを検出および受信する。
【００７６】
方式２：基地局が、検出する必要があるＤＣＩ ｆｏｒｍａｔを端末に直接通知する場合、すなわち、基地局は、明示的モードでｇｒｏｕｐ ｃｏｍｍｏｎ ＰＤＣＣＨにおいて、少なくとも１つのＤＣＩ ｆｏｒｍａｔを使用して、１つの端末グループの情報を送信する。端末は、各ｇｒｏｕｐ ｃｏｍｍｏｎ ＰＤＣＣＨのリソース集合において、ＤＣＩ ｆｏｒｍａｔ Ｘおよび/またはＤＣＩ ｆｏｒｍａｔ Ｙに従って、ｇｒｏｕｐ ｃｏｍｍｏｎ ＰＤＣＣＨを検出および受信する。
【００７７】
要約すると、端末側で、図２に示すように、本発明の実施形態に係る情報の伝送方法は、以下のステップを備える。
【００７８】
Ｓ２０１において、グループ共通の物理ダウンリンク制御チャネル（ｇｒｏｕｐ ｃｏｍｍｏｎ ＰＤＣＣＨ）を検出する。
【００７９】
Ｓ２０２において、ｇｒｏｕｐ ｃｏｍｍｏｎ ＰＤＣＣＨから１つの端末グループの情報を取得する。
【００８０】
オプションとして、端末グループの情報は、少なくとも１つのダウンリンク制御情報（ＤＣＩ）フォーマットを使用して、ＰＤＣＣＨを介して送信されるものである。
【００８１】
オプションとして、ｇｒｏｕｐ ｃｏｍｍｏｎ ＰＤＣＣＨを検出する場合、
高位層シグナリングを通じて少なくとも１つのＤＣＩフォーマットの関連情報を受信し、少なくとも１つのＤＣＩフォーマットの関連情報に従って、ｇｒｏｕｐ ｃｏｍｍｏｎ ＰＤＣＣＨを検出する。
【００８２】
または、各ｇｒｏｕｐ ｃｏｍｍｏｎ ＰＤＣＣＨリソース集合において、少なくとも１つのＤＣＩフォーマットに従って、ｇｒｏｕｐ ｃｏｍｍｏｎ ＰＤＣＣＨを検出する。
【００８３】
オプションとして、少なくとも１つのＤＣＩフォーマットの関連情報は、端末グループの情報の送信に使用されるＤＣＩフォーマットに対応する情報送信周期、および/または、端末によって検出される必要があるＤＣＩフォーマットの指示情報を含む。
【００８４】
３つの特定の実施形態を以下に詳細に説明する。
【００８５】
実施形態１：図３に示すように、ｇｒｏｕｐ ｃｏｍｍｏｎ ＰＤＣＣＨで送信される情報は、ＤＣＩ ｆｏｒｍａｔ ＸおよびＤＣＩ ｆｏｒｍａｔ Ｙなどの２つのＤＣＩ ｆｏｒｍａｔによって運ばれると想定される。ＤＣＩ ｆｏｒｍａｔ Ｘを使用して送信される情は、少なくともｓｌｏｔの構造情報を含む。ＤＣＩ ｆｏｒｍａｔ Ｙを使用して送信される情報は、例えば、ダウンリンク制御チャネル検出周期、ｎｕｍｅｒｏｌｏｇｙ情報、ＴＲＰ情報等などの他の情報を含む。確かに、これはここでの可能な例に過ぎず、ＤＣＩ ｆｏｒｍａｔ ＸおよびＤＣＩ ｆｏｒｍａｔ Ｙに含まれる情報は、特定のニーズに従って決定することができる。ＵＥ１、ＵＥ２、およびＵＥ３は、ｇｒｏｕｐ ｃｏｍｍｏｎ ＰＤＣＣＨ １を検出および受信する必要があると想定する。基地局は、高位層シグナリングを通じて、例えば、無線リソース制御（Ｒａｄｉｏ Ｒｅｓｏｕｒｃｅ Ｃｏｎｔｒｏｌ，ＲＲＣ）信号（ｓｉｇｎａｌｉｎｇ）を通じて、端末に通知すると想定する。ｇｒｏｕｐ ｃｏｍｍｏｎ ＰＤＣＣＨの送信周期はＮ個のスロットであり、ＤＣＩ ｆｏｒｍａｔ Ｘを使用して送信される情報の送信周期はＮ個のスロットであり、ＤＣＩ ｆｏｒｍａｔ Ｙを使用して送信される情報の送信周期は２Ｎ個のｓｌｏｔである。ここで、Ｎは１以上の正の整数である。端末は、Ｎ個のスロットごとにＤＣＩ ｆｏｒｍａｔ Ｘで送信される情報を検出および受信し、ＤＣＩ ｆｏｒｍａｔ Ｘで送信される情報（例えば、ｓｌｏｔの構造指示情報）を得る。端末は、２Ｎ個のスロットごとにＤＣＩ ｆｏｒｍａｔ Ｙで送信される情報を検出および受信し、ＤＣＩ ｆｏｒｍａｔ Ｙで送信される情報（例えば、ダウンリンク制御チャネル検出周期、ｎｕｍｅｒｏｌｏｇｙ情報、ＴＲＰ情報など）を得る。
【００８６】
実施形態２：図４に示すように、ｇｒｏｕｐ ｃｏｍｍｏｎ ＰＤＣＣＨで送信される情報は、ＤＣＩ ｆｏｒｍａｔ ＸおよびＤＣＩ ｆｏｒｍａｔ Ｙなどの２つのＤＣＩ ｆｏｒｍａｔによって運ばれると想定される。ＤＣＩ ｆｏｒｍａｔ Ｘで送信される情は、少なくともｓｌｏｔの構造情報を含む。ＤＣＩ ｆｏｒｍａｔ Ｙで送信される情報は、例えば、ダウンリンク制御チャネル検出周期、ｎｕｍｅｒｏｌｏｇｙ情報、ＴＲＰ情報等などの他の情報を含む。確かに、これはここでの可能な例に過ぎず、ＤＣＩ ｆｏｒｍａｔ ＸおよびＤＣＩ ｆｏｒｍａｔ Ｙで送信される情報に含まれる情報は、特定のニーズに従って決定することができる。ＵＥ１、ＵＥ２、およびＵＥ３は、ｇｒｏｕｐ ｃｏｍｍｏｎ ＰＤＣＣＨ １を検出および受信する必要があると想定する。基地局は、高位層シグナリングを通じて、例えば、ＲＲＣ ｓｉｇｎａｌｉｎｇを通じて端末に通知する。ｇｒｏｕｐ ｃｏｍｍｏｎ ＰＤＣＣＨの送信周期はＮ個のｓｌｏｔである。同時に、基地局は、ＲＲＣ ｓｉｇｎａｌｉｎｇを介して、検出および受信する必要があるＤＣＩ ｆｏｒｍａｔを端末に通知する。例えば、基地局は、ＲＲＣ ｓｉｇｎａｌｉｎｇを介して、ＵＥ１/ＵＥ２/ＵＥ３によって検出する必要があるＤＣＩ ｆｏｒｍａｔがＤＣＩ ｆｏｒｍａｔ Ｘであることを端末に通知し、端末ＵＥ１/ＵＥ２/ＵＥ３は、ｇｒｏｕｐ ｃｏｍｍｏｎ ＰＤＣＣＨのリソース集合において、ＤＣＩ ｆｏｒｍａｔ Ｘで送信される情報のみを受信する。例えば、基地局は、ＲＲＣ ｓｉｇｎａｌｉｎｇを介して、ＵＥ１/ＵＥ２/ＵＥ３によって検出する必要があるＤＣＩ ｆｏｒｍａｔがＤＣＩ ｆｏｒｍａｔ Ｙであることを端末に通知し、端末ＵＥ１/ＵＥ２/ＵＥ３は、ｇｒｏｕｐ ｃｏｍｍｏｎ ＰＤＣＣＨのリソース集合において、ＤＣＩ ｆｏｒｍａｔ Ｙで送信される情報のみを受信する。例えば、基地局は、ＲＲＣ ｓｉｇｎａｌｉｎｇを介して、ＵＥ１/ＵＥ２/ＵＥ３によって検出する必要があるＤＣＩ ｆｏｒｍａｔがＤＣＩ ｆｏｒｍａｔ ＸおよびＤＣＩ ｆｏｒｍａｔ Ｙを含むことを端末に通知し、端末ＵＥ１/ＵＥ２/ＵＥ３は、ｇｒｏｕｐ ｃｏｍｍｏｎ ＰＤＣＣＨのリソース集合において、ＤＣＩ ｆｏｒｍａｔ ＸおよびＤＣＩ ｆｏｒｍａｔ Ｙで送信される情
報を受信する。
【００８７】
実施形態３：図５において、ｇｒｏｕｐ ｃｏｍｍｏｎ ＰＤＣＣＨ上で送信される情報は、ＤＣＩ ｆｏｒｍａｔ ＸおよびＤＣＩ ｆｏｒｍａｔ Ｙなどの２つのＤＣＩ ｆｏｒｍａｔによって運ばれると想定される。ＤＣＩ ｆｏｒｍａｔ Ｘで送信される情は、少なくともｓｌｏｔの構造情報を含む。ＤＣＩ ｆｏｒｍａｔ Ｙで送信される情報は、例えば、ダウンリンク制御チャネル検出周期、ｎｕｍｅｒｏｌｏｇｙ情報、ＴＲＰ情報等などの他の情報を含む。確かに、これはここでの可能な例に過ぎず、ＤＣＩ ｆｏｒｍａｔ ＸおよびＤＣＩ ｆｏｒｍａｔ Ｙで送信される情報に含まれる情報は、特定のニーズに従って決定することができる。ＵＥ１、ＵＥ２、およびＵＥ３は、ｇｒｏｕｐ ｃｏｍｍｏｎ ＰＤＣＣＨ １を検出および受信する必要があると想定する。基地局は、高位層シグナリングを通じて、例えば、ＲＲＣ ｓｉｇｎａｌｉｎｇを通じて端末に通知する。ｇｒｏｕｐ ｃｏｍｍｏｎ ＰＤＣＣＨの送信周期はＮ個のｓｌｏｔである。基地局は、各ｇｒｏｕｐ ｃｏｍｍｏｎ ＰＤＣＣＨのリソース集合において、ニーズに応じてＤＣＩ ｆｏｒｍａｔ Ｘおよび/またはＤＣＩ ｆｏｒｍａｔ Ｙを使用して１つの端末グループの情報を送信する。端末は、各ｇｒｏｕｐ ｃｏｍｍｏｎ ＰＤＣＣＨのリソース集合において、ＤＣＩ ｆｏｒｍａｔ ＸおよびＤＣＩ ｆｏｒｍａｔ Ｙで情報を検出および受信する。例えば、基地局は、ｓｌｏｔ ０のｇｒｏｕｐ ｃｏｍｍｏｎ ＰＤＣＣＨリソース集合においてＤＣＩ ｆｏｒｍａｔ Ｘのみで１つの端末グループの情報を送信する。端末は、当該リソース集合内検出ＤＣＩ ｆｏｒｍａｔ ＸおよびＤＣＩ ｆｏｒｍａｔ Ｙにおいて、ＤＣＩ ｆｏｒｍａｔ Ｘのみを成功に検出し、ＤＣＩ ｆｏｒｍａｔ Ｘを使用して送信される情報（例えば、ｓｌｏｔの構造指示情報）を取得する。別の例として、基地局は、ｓｌｏｔ Ｎにおいて、ＤＣＩ ｆｏｒｍａｔ ＸおよびＤＣＩ ｆｏｒｍａｔ Ｙを使用して１つの端末グループの情報を送信した。端末は、ｓｌｏｔ Ｎのｇｒｏｕｐ ｃｏｍｍｏｎ ＰＤＣＣＨリソース集合において、ＤＣＩ ｆｏｒｍａｔ ＸおよびＤＣＩ ｆｏｒｍａｔ Ｙを検出し、ＤＣＩ ｆｏｒｍａｔ ＸおよびＤＣＩ ｆｏｒｍａｔ Ｙを使用して送信された情報を成功に取得した。
【００８８】
実施形態４：ｇｒｏｕｐ ｃｏｍｍｏｎ ＰＤＣＣＨで送信される情報は、ＤＣＩ ｆｏｒｍａｔ Ｘ、ＤＣＩ ｆｏｒｍａｔ Ｙ、およびＤＣＩ ｆｏｒｍａｔ Ｚなどの複数のＤＣＩ ｆｏｒｍａｔによって運ばれると想定される。ＤＣＩ ｆｏｒｍａｔ Ｘを使用して送信される情は、少なくともｓｌｏｔの構造情報を含む。ＤＣＩフォーマット ＹおよびＤＣＩフォーマット Ｚを使用して送信される情報には、例えば、ダウンリンク制御チャネル検出周期、ｎｕｍｅｒｏｌｏｇｙ情報、ＴＲＰ情報、先取り（ｐｒｅ−ｅｍｐｔｉｏｎ）および送信電力制御コマンド（Ｔｒａｎｓｍｉｓｓｉｏｎ Ｐｏｗｅｒ Ｃｏｎｔｒｏｌ ｃｏｍｍａｎｄ， ＴＰＣ ｃｏｍｍａｎｄ）情報などを含む。他の情報は、情報タイプに応じて異なるＤＣＩ ｆｏｒｍａｔでそれぞれ運ばれる。例えば、ＤＣＩ ｆｏｒｍａｔ Ｙを使用して送信される情報にはｐｒｅ−ｅｍｐｔｉｏｎ情報が含まれ、を使用して送信される情報にはＴＰＣ ｃｏｍｍａｎｄ情報などが含まれる。ＵＥ１、ＵＥ２、およびＵＥ３は、ｇｒｏｕｐ ｃｏｍｍｏｎ ＰＤＣＣＨ １を検出および受信する必要があると想定する。基地局は、高位層シグナリングを通じて、例えば、ＲＲＣ ｓｉｇｎａｌｉｎｇを通じて端末に通知する。ｇｒｏｕｐ ｃｏｍｍｏｎ ＰＤＣＣＨの送信周期はＮ個のｓｌｏｔである。同時に、基地局は、ＲＲＣ ｓｉｇｎａｌｉｎｇを介して、検出および受信する必要があるＤＣＩ ｆｏｒｍａｔを端末に通知する。例えば、基地局は、ＲＲＣ ｓｉｇｎａｌｉｎｇを介して、ＵＥ１/ＵＥ２/ＵＥ３によって検出する必要があるＤＣＩ ｆｏｒｍａｔがＤＣＩ ｆｏｒｍａｔ Ｘであることを端末に通知し、端末ＵＥ１/ＵＥ２/ＵＥ３は、ｇｒｏｕｐ ｃｏｍｍｏｎ ＰＤＣＣＨのリソース集合において、ＤＣＩ ｆｏｒｍａｔ Ｘで送信される情報のみを受信する。例えば、基地局は、ＲＲＣ ｓｉｇｎａｌｉｎｇを介して、ＵＥ１/ＵＥ２/ＵＥ３によって検出する必要があるＤＣＩ ｆｏｒｍａｔがＤＣＩ ｆｏｒｍａｔ ＹおよびＤＣＩ ｆｏｒｍａｔ Ｚであることを端末に通知すると、端末ＵＥ１/ＵＥ２/ＵＥ３は、ｇｒｏｕｐ ｃｏｍｍｏｎ ＰＤＣＣＨのリソース集合において、ＤＣＩ ｆｏｒｍａｔ ＹおよびＤＣＩ ｆｏｒｍａｔ Ｚで送信される情報のみを受信する。例えば、基地局は、ＲＲ
Ｃ ｓｉｇｎａｌｉｎｇを介して、ＵＥ１/ＵＥ２/ＵＥ３によって検出する必要があるＤＣＩ ｆｏｒｍａｔがＤＣＩ ｆｏｒｍａｔ Ｘ、ＤＣＩ ｆｏｒｍａｔ ＹおよびＤＣＩ ｆｏｒｍａｔ Ｚを含むことを端末に通知すると、端末ＵＥ１/ＵＥ２/ＵＥ３は、ｇｒｏｕｐ ｃｏｍｍｏｎ ＰＤＣＣＨのリソース集合において、ＤＣＩ ｆｏｒｍａｔ Ｘ、ＤＣＩ ｆｏｒｍａｔ ＹおよびＤＣＩ ｆｏｒｍａｔ Ｚで送信される情報を受信する。本実施形態は、ｇｒｏｕｐ ｃｏｍｍｏｎ ＰＤＣＣＨで送信されるＤＣＩ ｆｏｒｍａｔのタイプおよびＤＣＩ ｆｏｒｍａｔの数を３つに限定しない。
【００８９】
上記ネットワーク側方法と対応して、図６を参照すると、本発明の実施形態に係る情報の伝送装置は、
送信する必要がある１つの端末グループの情報を決定するための決定ユニット１１と、
グループ共通の物理ダウンリンク制御チャネル（ｇｒｏｕｐ ｃｏｍｍｏｎ ＰＤＣＣＨ）を介して、前記端末グループの情報を送信するための送信ユニット１２と、を備える。
【００９０】
オプションとして、前記送信ユニットは、少なくとも１つのダウンリンク制御情報（ＤＣＩ）フォーマットを使用して、ｇｒｏｕｐ ｃｏｍｍｏｎ ＰＤＣＣＨを介して前記端末グループのタイプの情報を送信する。
【００９１】
オプションとして、前記端末グループの情報は、少なくともスロットフォーマット指示を含み、第１のＤＣＩフォーマットを使用して前記スロットフォーマット指示を送信し、第１のＤＣＩフォーマットの以外の少なくとも１つのたのＤＣＩフォーマットを使用して前記スロットフォーマット指示以外の情報を送信する。
【００９２】
オプションとして、異なるＤＣＩフォーマットを使用して送信した情報の送信周期は異なる。
【００９３】
オプションとして、前記送信ユニットは、
高位層シグナリングを通じて少なくとも１つのダウンリンク制御情報（ＤＣＩ）フォーマットの関連情報を送信し、
または、ｇｒｏｕｐ ｃｏｍｍｏｎ ＰＤＣＣＨにおいて、少なくとも１つのＤＣＩフォーマットを使用して前記端末グループのタイプの情報を送信する。
【００９４】
オプションとして、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含む。
【００９５】
上記端末側方法と対応して、図７を参照すると、本発明の実施形態に係る情報の伝送装置は、
グループ共通の物理ダウンリンク制御チャネル（ｇｒｏｕｐ ｃｏｍｍｏｎ ＰＤＣＣＨ）を検出するための検出ユニット２１と、
前記ｇｒｏｕｐ ｃｏｍｍｏｎ ＰＤＣＣＨから１つの端末グループの情報を取得するための取得ユニット２２と、を備える。
【００９６】
オプションとして、前記端末グループの情報は、少なくとも１つのダウンリンク制御情報（ＤＣＩ）フォーマットを使用して、前記ＰＤＣＣＨを介して送信される。
【００９７】
オプションとして、前記検出ユニットは、高位層シグナリングを通じて前記少なくとも１つのＤＣＩフォーマットの関連情報を受信し、前記少なくとも１つのＤＣＩフォーマットの関連情報に従って、前記ｇｒｏｕｐ ｃｏｍｍｏｎ ＰＤＣＣＨを検出する。
【００９８】
または、前記検出ユニットは、各ｇｒｏｕｐ ｃｏｍｍｏｎ ＰＤＣＣＨリソース集合において、前記少なくとも１つのＤＣＩフォーマットに従って、前記ｇｒｏｕｐ ｃｏｍｍｏｎ ＰＤＣＣＨを検出する。
【００９９】
オプションとして、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含む。
【０１００】
ネットワーク側では、図８を参照すると、本発明の実施形態に係る別の情報の伝送装置、例えば、基地局は、メモリ５２０内のプログラムを読み取り、以下の動作を実行するために構成されるプロセッサ５００と、
プロセッサ５００の制御でデータを送受信するように構成される送受信機５１０と、を備える。
【０１０１】
前記プロセッサ５００は、送信する必要がある１つの端末グループの情報を決定し、
グループ共通の物理ダウンリンク制御チャネル（ｇｒｏｕｐ ｃｏｍｍｏｎ ＰＤＣＣＨ）を介して、前記端末グループの情報を送信するように、送受信機５１０を制御する。
【０１０２】
オプションとして、前記プロセッサ５００は、少なくとも１つのダウンリンク制御情報（ＤＣＩ）フォーマットを使用して、ｇｒｏｕｐ ｃｏｍｍｏｎ ＰＤＣＣＨを介して前記端末グループのタイプの情報を送信するように、送受信機５１０を制御する。
【０１０３】
オプションとして、前記端末グループの情報は、少なくともスロットフォーマット指示を含み、第１のＤＣＩフォーマットを使用して前記スロットフォーマット指示を送信し、第１のＤＣＩフォーマットの以外の少なくとも１つのたのＤＣＩフォーマットを使用して前記スロットフォーマット指示以外の情報を送信する。
【０１０４】
オプションとして、異なるＤＣＩフォーマットを使用して送信した情報の送信周期は異なる。
【０１０５】
オプションとして、前記プロセッサ５００は、高位層シグナリングを通じて少なくとも１つのダウンリンク制御情報（ＤＣＩ）フォーマットの関連情報を送信するように、送受信機５１０を制御する。
【０１０６】
または、前記プロセッサ５００は、ｇｒｏｕｐ ｃｏｍｍｏｎ ＰＤＣＣＨにおいて、少なくとも１つのＤＣＩフォーマットを使用して前記端末グループのタイプの情報を送信するように、送受信機５１０を制御する。
【０１０７】
オプションとして、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含む。
【０１０８】
ここで、図８バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、即ち、送信機及び受信機を備え、伝送媒体を介して他の装置と通信するユニットを提供する。プロセッサ５００は、バスアーキテクチャの管理及び通常の処理を担当し、メモリ５２０はプロセッサ５００が動作する際に利用するデータを記憶することができる。
【０１０９】
プロセッサ５００は、中央処理装置（Ｃｅｎｔｒａｌ Ｐｒｏｃｅｓｓｉｎｇ ｕｎｉｔ，  ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，  ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，  ＦＰＧＡ）または複合プログラマブルロジックデバイス（Ｃｏｍｐｌｅｘ Ｐｒｏｇｒａｍｍａｂｌｅ Ｌｏｇｉｃ Ｄｅｖｉｃｅ，  ＣＰＬＤ）、デジタルシグナルプロセッサ（Ｄｉｇｉｔａｌ Ｓｉｇｎａｌ Ｐｒｏｃｅｓｓｉｎｇ，  ＤＳＰ）などであり得る。
【０１１０】
端末側では、図９を参照すると、本発明の実施形態に係る別の情報の伝送装置，例えば、ＵＥ，包括：
メモリ６２０内のプログラムを読み取り、以下の動作を実行するために使用されるプロセッサ６００と、
プロセッサ６００の制御でデータを送受信するように構成される送受信機６１０と、を備える。
【０１１１】
前記プロセッサ６００は、送受信機６１０を通じて、グループ共通の物理ダウンリンク制御チャネル（ｇｒｏｕｐ ｃｏｍｍｏｎ ＰＤＣＣＨ）を検出し、
前記ｇｒｏｕｐ ｃｏｍｍｏｎ ＰＤＣＣＨから１つの端末グループの情報を取得する。
【０１１２】
オプションとして、前記端末グループの情報は、少なくとも１つのダウンリンク制御情報（ＤＣＩ）フォーマットを使用して、前記ＰＤＣＣＨを介して送信される。
【０１１３】
オプションとして、前記プロセッサ６００は、高位層シグナリングを通じて前記少なくとも１つのＤＣＩフォーマットの関連情報を受信し、前記少なくとも１つのＤＣＩフォーマットの関連情報に従って、前記ｇｒｏｕｐ ｃｏｍｍｏｎ ＰＤＣＣＨを検出するように、送受信機６１０を制御する。
【０１１４】
または、前記プロセッサ６００は、各ｇｒｏｕｐ ｃｏｍｍｏｎ ＰＤＣＣＨリソース集合において、前記少なくとも１つのＤＣＩフォーマットに従って、前記ｇｒｏｕｐ ｃｏｍｍｏｎ ＰＤＣＣＨを検出するように、送受信機６１０を制御する。
【０１１５】
オプションとして、前記少なくとも１つのＤＣＩフォーマットの関連情報は、前記端末グループの情報を送信するために使用されるＤＣＩフォーマットに対応する情報送信周期、および/または、端末によって検出される必要があるＤＣＩフォーマットの指示情報を含む。
【０１１６】
ここで、図９バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、送信機及び受信機を備え、伝送媒体を介して他の装置と通信するユニットを提供する。異なるユーザー設備に対し、ユーザーインターフェース６３０は、外部接続または内部接続に必要な設備のインターフェースであることもできる。接続する設備は、キーパッド、ディスプレー、スピーカー、マイクロホン、ジョイスティック等を備えるが、これに限られない。
【０１１７】
プロセッサ６００は、バスアーキテクチャの管理及び通常の処理を担当し、メモリ６２０はプロセッサ６００が動作する際に利用するデータを記憶することができる。
【０１１８】
オプションとして、プロセッサ６００は、中央処理装置（Ｃｅｎｔｒａｌ Ｐｒｏｃｅｓｓｉｎｇ ｕｎｉｔ，  ＣＰＵ）、特定用途向け集積回路（Ａｐｐｌｉｃａｔｉｏｎ Ｓｐｅｃｉｆｉｃ Ｉｎｔｅｇｒａｔｅｄ Ｃｉｒｃｕｉｔ，  ＡＳＩＣ）、フィールドプログラマブルゲートアレイ（Ｆｉｅｌｄ−Ｐｒｏｇｒａｍｍａｂｌｅ Ｇａｔｅ Ａｒｒａｙ，  ＦＰＧＡ）または複合プログラマブルロジックデバイス（Ｃｏｍｐｌｅｘ Ｐｒｏｇｒａｍｍａｂｌｅ Ｌｏｇｉｃ Ｄｅｖｉｃｅ，  ＣＰＬＤ）、デジタルシグナルプロセッサ（Ｄｉｇｉｔａｌ Ｓｉｇｎａｌ Ｐｒｏｃｅｓｓｉｎｇ，  ＤＳＰ）などであり得る。
【０１１９】
上述した本発明の実施形態に係る端末側の任意の前記の情報の伝送装置は、例えば、任意種類の端末機器であることができる。
【０１２０】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【０１２１】
本発明に係る実施例において、前記ネットワーク装置は、基地局（例えば、接続点）であることができ、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ（登録商標）またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ（登録商標）の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）または５ＧシステムにおいけるｇＮＢであってもよいが、本発明をそれに限定しない。
【０１２２】
本発明の実施形態は、コンピュータ実行可能命令を格納し、コンピュータ実行可能命令を使用して、コンピュータが上述した本発明の実施形態に係る任意の情報の伝送方法のプログラムを実行できるようにするために使用されるコンピュータ記憶媒体を提供する。
【０１２３】
コンピュータ記憶媒体は、コンピュータによってアクセス可能な任意の利用可能な媒体またはデータ記憶装置であり得る。コンピュータ記憶媒体は、磁気記憶装置（例えば、フロッピーディスク、ハードディスク、磁気テープ、光磁気ディスク（ＭＯ）、光学ストレージ（ＣＤ、ＤＶＤ、ＢＤ、ＨＶＤなど）、半導体メモリ（ＲＯＭ、ＥＰＲＯＭ、ＥＥＰＲＯＭ、不揮発性メモリ（ＮＡＮＤ ＦＬＡＳＨ）、半導体ディスク（ＳＳＤ））などを含むがこれらに限定されない。
【０１２４】
要約すると、本発明の実施形態では、ｇｒｏｕｐ ｃｏｍｍｏｎ ＰＤＣＣＨを介して、１つの端末グループの情報を運び、さらにこれらの情報は異なるＤＣＩ ｆｏｒｍａｔ出送信されることができ、さらに、異なるＤＣＩ ｆｏｒｍａｔで送信される情報は異なっていてもよい。同じまたは異なる送信周期を使用して送信される。したがって、本発明の実施形態に係る技術案は、ｇｒｏｕｐ ｃｏｍｍｏｎ  ＰＤＣＣＨによって運ばれる端末グループの情報の送信を、基地局と端末との間でより柔軟にすることができる。
【０１２５】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることが分かるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０１２６】
以上は本発明の実施形態の方法、装置（システム）、およびコンピュータプログラム製品のフロー図および／またはブロック図によって、本発明を記述した。理解すべきことは、コンピュータプログラム命令によって、フロー図および／またはブロック図における各フローおよび／またはブロックと、フロー図および／またはブロック図におけるフローおよび／またはブロックの結合を実現できる。プロセッサはこれらのコンピュータプログラム命令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム命令を実行し、フロー図における一つ或いは複数のフローおよび／またはブロック図における一つ或いは複数のブロックに指定する機能を実現する。
【０１２７】
これらのコンピュータプログラム命令は又、コンピュータ或いは他のプログラム可能なデータ処理装置を特定方式で動作させるコンピュータ読取記憶装置に記憶できる。これによって、命令を含む装置は当該コンピュータ読取記憶装置内の命令を実行でき、フロー図における一つ或いは複数のフローおよび／またはブロック図における一つ或いは複数のブロックに指定する機能を実現する。
【０１２８】
これらコンピュータプログラム命令はさらに、コンピュータ或いは他のプログラム可能なデータ処理装置設備に実装もできる。コンピュータプログラム命令が実装されたコンピュータ或いは他のプログラム可能設備は、一連の操作ステップを実行することによって、関連の処理を実現し、コンピュータ或いは他のプログラム可能な設備において実行される命令によって、フロー図における一つ或いは複数のフローおよび／またはブロック図における一つ或いは複数のブロックに指定する機能を実現する。
【０１２９】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０１３０】
11  決定ユニット
12  送信ユニット
21  検出ユニット
22  取得ユニット
500  プロセッサ
510  送受信機
520  メモリ
600  プロセッサ
610  送受信機
620  メモリ
630  ユーザーインターフェース
【図１】
0006980171.tif 000002
【図２】
0006980171.tif 000003
【図３】
0006980171.tif 000004
【図４】
0006980171.tif 000005
【図５】
0006980171.tif 000006
【図６】
0006980171.tif 000007
【図７】
0006980171.tif 000008
【図８】
0006980171.tif 000009
【図９】
0006980171.tif 000010